(57)【要約】【課題】電動モータの給電端子に接続された給電用のリード線をケースに対して容易且つ速やかに固定的に保持せしめることが出来、しかも、かかる固定的な保持に際して別部材が必要とされることもない、新規な構造の洗濯機用電動モータ内蔵ケースを提供することを、目的とする。【解決手段】略閉塞構造の洗濯機用電動モータ内蔵ケース１０を構成するケース本体２６とケース蓋体２８の各外周面上に本体側突部５２と蓋体側突部５４を一体形成して、それら本体側突部５２と蓋体側突部５４で協働して挿通孔５８を形成すると共に、それら本体側突部５２と蓋体側突部５４の対向面間において、かかる挿通孔５８を外部に開口せしめる隙間６０を形成し、該隙間６０を通じて電動モータ１２への給電用のリード線２４，２４を挿通孔５８に差し入れることが出来ようにした。【選択図】　図４
2004141569.tif 000002
【特許請求の範囲】
【請求項１】
開口箱体形状のケース本体に電動モータを収容すると共に、該ケース本体にケース蓋体を重ね合わせて固定し、該ケース本体の開口を該ケース蓋体で覆蓋することにより該電動モータを内蔵せしめ、該電動モータに接続した給電用のリード線をケース外部に延び出させた略閉塞構造の洗濯機用電動モータ内蔵ケースであって、
前記ケース本体と前記ケース蓋体の各外周面上にそれぞれ一体的に突出形成されて該ケース本体と該ケース蓋体の重ね合わせ方向で相互に近接して対向位置せしめられる本体側突部と蓋体側突部を設けると共に、該本体側突部と該蓋体側突部の少なくとも一方の突部において他方の突部に向かって開口する凹溝を形成し、該凹溝の開口を該他方の突部で略覆蓋することによりケース周方向に延びる挿通孔を構成せしめ、該挿通孔に前記リード線を挿通させて保持せしめ得るようにする一方、該凹溝の外周側における該本体側突部と該蓋体側突部の各突出方向先端部の対向面間において該挿通孔の全長に亘って延びる隙間を形成し、該隙間を通じて前記リード線を該挿通孔に差し入れることが出来ようにしたことを特徴とする洗濯機用電動モータ内蔵ケース。
【請求項２】
前記挿通孔の全長に亘って延びるように形成した前記隙間の間隙寸法を、該挿通孔から外方に向かって次第に大きくして拡開させると共に、該隙間の間隙寸法の最小値を前記リード線の外径寸法よりも小さくし、且つ該隙間の間隙寸法の最大値を前記リード線の外径寸法よりも大きくした請求項１に記載の洗濯機用電動モータ内蔵ケース。
【請求項３】
前記本体側突部と前記蓋体側突部を、何れも前記凹溝が形成された略対称形状として、これら本体側突部と蓋体側突部の対向面間に形成される前記挿通孔に前記リード線を２本を、該本体側突部の凹溝内と該蓋体側突部の凹溝内にそれぞれ位置して挿通せしめるようにした請求項１又は２に記載の洗濯機用電動モータ内蔵ケース。
【請求項４】
前記本体側突部と前記蓋体側突部を、前記挿通孔の長さ方向で２〜２０ｍｍの大きさとして、前記ケース本体と前記ケース蓋体の各外周面上で周方向に相互に離隔して複数設けることにより、前記リード線を中心線方向の複数箇所で保持せしめるようにした請求項１乃至３の何れかに記載の洗濯機用電動モータ内蔵ケース。
【発明の詳細な説明】
【０００１】
【技術分野】
本発明は、洗濯機に装着されて用いられる電動モータ内蔵ケースに係り、例えば洗濯機の排水弁を開閉駆動する駆動モータ内蔵ケースや、タイマスイッチの駆動モータ内蔵ケース等に適用され得るものである。
【０００２】
【背景技術】
洗濯機（全自動洗濯機や二槽式洗濯機等の各種洗濯機を含む。以下、同じ。）には、例えば洗濯槽の排水弁を開閉駆動したり制御用タイマスイッチを駆動したりするために、小型の電動モータが装備される。また、このような電動モータは、一般に、略閉塞構造としたケースに収容されて、必要に応じて適当な歯車機構等を組み込んだ電動モータ内蔵ケースとして提供されて、洗濯機本体に装着されている。
【０００３】
ところで、洗濯機は、さまざまな温度や湿度等の条件下で殆ど毎日複数回使用されるものであり、そのような過酷な使用条件下において、洗濯機には、安全で且つ安定した作動が要求される。そこで、例えば特許文献１に示されているように、上述の如き電動モータも、ケースに収容することで保護すると共に、電動モータへの給電を絶縁被覆したリード線によって行っている。そして、かかるリード線は、一般に、ケースに内蔵された電動モータの給電端子に対して一端部が導通固定されて、ケースから外方に所定長さで延び出した状態で装着されており、洗濯機の製造工程において、ケースから延び出したリード線の先端部分を電源側端子に接続するようになっている。
【０００４】
【特許文献１】
特開２００２−２６２５１２号公報
【０００５】
また、洗濯機は、洗濯槽や脱水槽およびそれらの駆動モータや制動装置など、駆動されることによって動く部材が多いことから、リード線の取りまわしに際しては、そのような動く部材への接触を完全に防止することが重要となる。しかも、洗濯機においては、洗濯槽や脱水槽のアンバランス等に起因する振動の発生が避けられないことから、リード線の揺れ共振によって接続部位等に局部的な繰り返し応力が作用して、リード線の接続部位等が離脱したり切断したりするおそれがあり、それに起因する導通不良を防止することも重要である。
【０００６】
そこで、従来構造の洗濯機用電動モータ内蔵ケースにおいては、多くの場合、合成樹脂製のバンドストラップ等を用いて、ケースから延び出したリード線を、ケースの適当な部位や洗濯機における他の適当な固定部材に対して締付状態で固定的に保持せしめることにより、リード線の動く部材への接触を防止すると共に、リード線の揺れを抑えている。
【０００７】
しかしながら、このような従来構造では、リード線を固定的に保持するためにバンドストラップという別部材が必要となることから、組み付ける部品点数が増加して高コストとなることが避けられず、また、バンドストラップをリード線に巻き付けて他部材に固定する作業は指先の細かい手作業が必要となって予想以上に困難であり、大量生産に向いていない等という問題があったのである。
【０００８】
【解決課題】
ここにおいて、本発明は上述の如き事情を背景として為されたものであって、その解決課題とするところは、給電用のリード線をケースに対して容易且つ速やかに固定的に保持せしめることが出来、しかも、かかる固定的な保持に際して別部材が必要とされることもない、新規な構造の洗濯機用電動モータ内蔵ケースを提供することにある。
【０００９】
【解決手段】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【００１０】
（本発明の態様１）
本発明の態様１は、開口箱体形状のケース本体に電動モータを収容すると共に、該ケース本体にケース蓋体を重ね合わせて固定し、該ケース本体の開口を該ケース蓋体で覆蓋することにより該電動モータを内蔵せしめ、該電動モータに接続した給電用のリード線をケース外部に延び出させた略閉塞構造の洗濯機用電動モータ内蔵ケースであって、前記ケース本体と前記ケース蓋体の各外周面上にそれぞれ一体的に突出形成されて該ケース本体と該ケース蓋体の重ね合わせ方向で相互に近接して対向位置せしめられる本体側突部と蓋体側突部を設けると共に、該本体側突部と該蓋体側突部の少なくとも一方の突部において他方の突部に向かって開口する凹溝を形成し、該凹溝の開口を該他方の突部で略覆蓋することによりケース周方向に延びる挿通孔を構成せしめ、該挿通孔に前記リード線を挿通させて保持せしめ得るようにする一方、該凹溝の外周側における該本体側突部と該蓋体側突部の各突出方向先端部の対向面間において該挿通孔の全長に亘って延びる隙間を形成し、該隙間を通じて前記リード線を該挿通孔に差し入れることが出来ようにしたことを、特徴とする。
【００１１】
このような本態様においては、電動モータを収容せしめてケース本体とケース蓋体を組み合わせた後、給電用リード線を隙間を通じて挿通孔に差し入れることにより、ケース本体の外周面上に固定的に保持せしめることが出来る。それ故、リード線を固定的に保持せしめるに際して別部材を必要とすることがなく、洗濯機用電動モータ内蔵ケースにおける部品点数の減少と構造の簡略化が図られ得るのであり、しかも、単にリード線を挿通孔の隙間に押し込むだけの極めて単純な作業で、リード線をケースに保持せしめることが出来ることから、従来のバンドストラップによる保持構造に比して、作業の容易化と優れた量産性が図られ得るのである。
【００１２】
しかも、本態様に係る洗濯機用電動モータ内蔵ケースにおいては、挿通孔を形成する本体側突部と蓋体側突部が、それぞれ、ケース本体とケース蓋体の外周面上に突出形成されていると共に、それらケース本体とケース蓋体の重ね合わせ方向に開口するように凹溝が形成されていることから、ケース本体とケース蓋体の何れにおいても、重ね合わせ方向に型合わせされる成形型を用いて形成する場合に、型合わせ面を本体側突部や蓋体側突部の形成部位に設定することにより、アンダーカット部分を生ずることなく、凹溝を備えた本体側突部や蓋体側突部を、ケース本体とケース蓋体において有利に一体形成することが出来るのであり、良好なる製作性が発揮され得るのである。
【００１３】
なお、本態様において、電動モータの給電端子に対するリード線の接続は、ケース本体とケース蓋体を組み立てる前であっても良いし、組み立てた後であっても良い。また、電動モータの給電端子に対するリード線の接続は、安定した通電性を得るためにハンダ付けや溶着等が望ましいが、導通が確保され得る限り、コネクタ式の接続や圧着などの適宜の手法が採用され得る。また、電動モータの給電端子に対するリード線の接続部位は、ケースの外に設定されていても良いが、漏電や短絡等を防止するためにはケースの内部に設定することが望ましい。更にまた、本体側突部と蓋体側突部の形成位置や具体的形状、大きさ等は、洗濯機用電動モータ内蔵ケースの形状や大きさ、リード線の長さや取りまわし、洗濯機本体の構造等を考慮して適宜に決定されるものであって、何等、限定されるものでない。
【００１４】
（本発明の態様２）
本発明の態様２は、前記態様１に係る洗濯機用電動モータ内蔵ケースにおいて、前記挿通孔の全長に亘って延びるように形成した前記隙間の間隙寸法を、該挿通孔から外方に向かって次第に大きくして拡開させると共に、該隙間の間隙寸法の最小値を前記リード線の外径寸法よりも小さくし、且つ該隙間の間隙寸法の最大値を前記リード線の外径寸法よりも大きくしたことを、特徴とする。このような本態様においては、ケース本体とケース蓋体を組み合わせた後、給電用リード線を隙間を通じて挿通孔に差し入れる作業を、一層容易に且つ速やかに行うことが可能となると共に、一度挿通孔に差し入れたリード線の外れ出しを防止して、本体側突部と蓋体側突部によってリード線を安定して保持せしめることが可能となり、信頼性も向上する。
【００１５】
（本発明の態様３）
本発明の態様３は、前記態様１又は２に係る洗濯機用電動モータ内蔵ケースにおいて、前記本体側突部と前記蓋体側突部を、何れも前記凹溝が形成された略対称形状として、これら本体側突部と蓋体側突部の対向面間に形成される前記挿通孔に前記リード線の２本を、該本体側突部の凹溝内と該蓋体側突部の凹溝内にそれぞれ位置して挿通せしめるようにしたことを、特徴とする。このような本態様においては、特に家庭用洗濯機において多用されている交流電動モータに給電するための２本のリード線を挿通孔に挿通せしめた状態下で、挿通孔の隙間が２本のリード線の中間部分に位置せしめられることから、隙間が多少大きくても、リード線の挿通孔からの抜け出しが有効に防止され得る。
【００１６】
（本発明の態様４）
本発明の態様４は、前記態様１乃至３の何れかに係る洗濯機用電動モータ内蔵ケースにおいて、前記本体側突部と前記蓋体側突部を、前記挿通孔の長さ方向で２〜２０ｍｍの大きさとして、前記ケース本体と前記ケース蓋体の各外周面上で周方向に相互に離隔して複数設けることにより、前記リード線を中心線方向の複数箇所で保持せしめるようにしたことを、特徴とする。このような本態様においては、本体側突部および蓋体側突部の各単体をコンパクトにしてリード線の挿通孔への差入作業を容易としつつ、リード線を複数箇所で保持せしめることによってリード線を長い範囲に亘って安定して保持せしめることが可能となる。
【００１７】
【発明の実施形態】
以下、本発明を更に具体的に明らかにするために、本発明の実施形態について、図面を参照しつつ、詳細に説明する。
【００１８】
先ず、図１〜４には、本発明に従う洗濯機用電動モータ内蔵ケースの一実施形態としてのギヤードモータが示されている。このギヤードモータは、洗濯機に取り付けられて、洗濯槽の排水弁を開閉駆動するものであり、内部構造を示す図５に記載の如く、全体として中空の矩形箱体形状を有するケース１０内に、電動モータ１２と歯車減速機構１４とクラッチ機構１６と出力部材としてのプーリ１８が、何れも収容状態で組み込まれており、電動モータ１２の回転駆動力を、歯車減速機構１４とクラッチ機構１６を介してプーリ１８に伝達することにより、プーリ１８に巻き掛けられた弁体駆動ワイヤ２０を、クラッチ機構１６の継断制御に基づいて駆動せしめるようになっている。
【００１９】
なお、本発明は、このようなギヤードモータにおいて、電動モータ１２の給電用端子２２，２２に接続されてケース外に延び出したリード線２４，２４を保持せしめるためる構造を大きな特徴とするものであって、電動モータ１２によるプーリ１８の駆動機構等の動力伝達構造や制御構造は、従来から公知の各種のものが適宜に採用可能であることから、ここでは、それらの詳細な説明を割愛する。また、以下の説明中、上下方向とは、後述する装着状態した状態での鉛直上下方向と反対となるが、説明を容易とするために、原則として図３，４中の上下方向をいうものとする。
【００２０】
より詳細には、本実施形態のギヤードモータにおいては、ケース１０が、ケース本体２６とケース蓋体２８によって構成されている。ケース本体２６は、図６〜７に示されているように、全体として上方に開口した矩形の箱体形状を有しており、周壁部２９から幅方向外方に突設された一対の取付片３０，３０によって、図示しない洗濯機本体に固定されるようになっている。このケース本体２６の底部中央には、略円形の収容凹所３２が形成されており、この収容凹所３２に対して、別途準備された電動モータ１２が嵌め込まれて組み付けられるようになっいる。
【００２１】
一方、ケース蓋体２８は、図８〜９に示されているように、全体として下方に開口した矩形の箱体形状を有している。そして、これらケース本体２６とケース蓋体２８は、それぞれの開口部側において上下方向で重ね合わされることにより、各周壁部の開口端縁部が略全周に亘って相互に組み合わされている。これにより、ケース本体２６とケース蓋体２８が、各開口部を相手側で覆蓋されるようにして組み合わされており、以て、ケース本体２６とケース蓋体２８の両方の中空内部によって全体として一つのケース内空間が形成されている。
【００２２】
なお、ケース本体２６とケース蓋体２８の各底壁部３３，３５の内面には、それぞれ複数の支持穴や支持突起が形成されており、それらケース本体２６とケース蓋体２８で協働して、多数の歯車軸を支持せしめること等によって、図５に示されている如き前述の歯車減速機構１４やクラッチ機構１６，プーリ１８等からなる作動機構を、ケース内部に構成するようになっている。また、ケース本体２６とケース蓋体２８の間には、それらを上述の如き重ね合わせ状態で相互に固定せしめるために、複数のねじ止め部３４や、係合突起３６と係合片３８からなる係合機構などが設けられている。
【００２３】
また、ケース本体２６とケース蓋体２８からなるケース１０には、その長手方向一方の端部に突出して、端子接合部４０が設けられており、この端子接合部４０内において、ケース１０内に収容配置された電動モータ１２の給電用端子２２，２２に対するリード線２４，２４の接続が行われている。
【００２４】
かかる端子接合部４０は、ケース本体２６に設けられた端子カバー部４２と、ケース蓋体２８に設けられた押圧部４４によって協働して構成されている。端子カバー部４２は、ケース本体２６の周壁部２９から長手方向一方の側に略袋状構造で突出形成されており、図５に示されていように、ケース本体２６に組み込まれた電動モータ１２の給電用端子２２，２２が端子カバー部４２内に突出して支持せしめられている。そして、これらの給電用端子２２，２２に対して、外部から引き込まれたリード線２４，２４の一方の端部が接続されていると共に、かかる接続部位を覆うようにして、ケース蓋体２８の周壁部４６の端縁部に突設された押圧部４４が端子カバー部４２に重ね合わされてボルト固定されている。
【００２５】
なお、給電用のリード線２４，２４は、銅細線等からなる多数本の電線を束ねて、周囲を筒状の絶縁層で被覆せしめた構造のものが好適に採用される。また、かかるリード線２４，２４における電動モータ１２の給電用端子２２，２２への接続は、ハンダ付けや溶着によって行うことも可能であるが、例えば、給電用端子２２，２２を、略小片板形状として端子カバー部４２内に立設させると共に、各給電用端子２２において突出先端部に開口する差入溝を、リード線２４の芯線（電線束）より僅かに小さな溝幅で形成して、かかる差入溝にリード線２４を押し込むことにより、給電用端子２２における差入溝の両縁をリード線２４の絶縁層に切れ込ませ、リード線２４の芯線に接触させて電気的に導通せしめるようにすることも可能である。
【００２６】
また、本実施形態では、各リード線２４が、その先端部で各給電用端子２２に導通せしめられると共に、給電用端子２２への導通部分よりも僅かに外方において、端子カバー部４２と押圧部４４で挟圧保持されており、リード線２４，２４に及ぼされる外力が給電用端子２２との接続部位に対して直接に作用せしめられることが回避されるようになっている。
【００２７】
而して、ケース本体２６に電動モータ１２や歯車原則機構１４，クラッチ機構１６，プーリ１８等を収容せしめると共に、電動モータ１２の給電用端子２２，２２にリード線２４，２４を接続せしめた後、ケース蓋体２８をケース本体２６に重ね合わせてボルト固定することにより、目的とするギヤードモータが構成されることとなるが、更に、このようにして構成されたギヤードモータにおいては、ケース１０から外部に取り出されて延び出した所定長さのリード線２４，２４を、ケース１０に形成された保持部５０によって固定的に保持せしめるようにされる。
【００２８】
かかる保持部５０は、図１０にも示されているように、ケース１０の幅方向一方の外周面から外方に突出する状態で、ケース本体２６に突設された本体側突部５２とケース蓋体２８に突設された蓋体側突部５４によって協働して形成されている。
【００２９】
すなわち、ケース本体２６とケース蓋体２８には、互いに対応する幅方向一方の側において、各周壁部２９，４６の先端縁部近傍から外周側に向かって突出する構造をもって本体側突部５２と蓋体側突部５４が一体形成されている。これらの突部５２，５４は、何れも、円弧断面で周壁部２９，４６の周方向に所定長さ：Ｌで延びており、全体としてケース本体２６又はケース蓋体２８の開口側に向かって開口する凹溝５６を備えた樋形状を有している。
【００３０】
そして、ケース本体２６とケース蓋体２８が重ね合わされることにより、本体側突部５２と蓋体側突部５４が各凹溝５６の開口側に向き合って近接して対向位置せしめられており、それら本体側突部５２と蓋体側突部５４の対向面間に、協働して、ケース１０の周方向に延びる挿通孔５８が形成されている。また、ケース本体２６とケース蓋体２８の重ね合わせ状態下で、本体側突部５２と蓋体側突部５４の各突出先端縁部は、重ね合わせ方向で互いに所定距離を隔てて対向位置せしめられており、かかる対向面間において、挿通孔５８の全長に亘って外挿通孔５８を外部に開口せしめる隙間としてのスリット状の差入間隙６０が形成されている。
【００３１】
特に、本実施形態では、かかる差入間隙６０を形成する本体側突部５２と蓋体側突部５４の各対向面が傾斜面とされており、それら本体側突部５２と蓋体側突部５４の対向面間距離が、挿通孔５８側から外方に向かって次第に大きく変化せしめられている。しかも、かかる差入間隙６０の大きさは、最も小さい挿通孔５８側端縁部の大きさ：ｂがリード線２４の外径寸法：Ｄ（絶縁層を含む最外径寸法）よりも僅かに小さくされていると共に、最も大きい外側端縁部の大きさ：Ｂがリード線２４の外径寸法：Ｄよりも大きくされている。また、本体側突部５２と蓋体側突部５４によって形成された挿通孔５８は、その内法寸法が、リード線２４の外径寸法よりも僅かに大きく設定されている。
【００３２】
そして、前述の如くケース本体２６とケース蓋体２８を組み合わせて電動モータ１２を収容せしめたケース１０を構成した後、ケース１０から外部に伸びだしたリード線２４，２４を、順次に、保持部５０に対して、差入間隙６０に押し込む。これにより、本体側突部５２と蓋体側突部５４が僅かに撓んで、差入間隙６０からリード線２４，２４を押し入れて挿通孔５８に挿通位置せしめる。このようにして挿通孔５８に挿通されたリード線２４，２４は、不必要な圧迫等を受けることなく、保持部５０によって、ケース１０に対して位置固定に保持せしめられることとなり、ケース１０に沿って配設せしめられることとなり、不必要に垂れ下がって他部材に干渉することが防止されていると共に、リード線２４，２４に対して揺れ共振等による局部的な応力作用が発生しないようにされている。
【００３３】
従って、上述の如き構造とされたギヤードモータにおいては、ケース１０に設けられた保持部５０に対して、その差入間隙６０からリード線２４，２４を押し込むだけで、極めて容易に且つ速やかにリード線２４，２４をケース１０に対して保持せしめることができるのであり、リード線２４，２４を固定するための構造と作業が大幅に簡略化されて製作が容易となるのである。
【００３４】
また、保持部５０を構成する本体側突部５２と蓋体側突部５４は、何れも、ケース本体２６とケース蓋体２８の各周壁部２９，４６から外周面上に突設されていると共に、それらの凹溝５６，５６も、ケース本体２６やケース蓋体２８の開口方向に向かって開口せしめられていることから、ケース本体２６やケース蓋体２８を成形するための成形金型を、それらの開口方向に型開閉する構造とし、且つ各周壁部２９，４６の外周面上に、本体側突部５２と蓋体側突部５４の外周面上にパーティングライン（型合わせ面）を設定することによって、単純な二つ割り構造の雌雄の成形金型を採用して、ケース本体２６やケース蓋体２８を一体成形することが可能となる。それ故、成形金型を含めた製造設備や製造工程の簡略化が有利に確保され得るのである。
【００３５】
なお、かくの如くして組み立てられたギヤードモータは、図３〜４に示された状態から上下を反対にして、端子カバー部４２が略鉛直下方に向かって開口する状態で、洗濯機本体に装着固定されることが望ましく、それによって、装着状態下では、各リード線２４が、端子カバー部４２の開口部から下方に向かって延び出されて、リード線２４と給電用端子２２との接続部位への、リード線２４を伝っての水の入り込み等の問題も回避され得ることとなる。
【００３６】
以上、本発明の実施形態について詳述してきたが、これはあくまでも例示であって、本発明は、かかる実施形態における具体的な記載によって何等限定的に解釈されるものでなく、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることも、言うまでもない。
【００３７】
例えば、前記実施形態では、ケース本体２６に突設された本体側突部５２と、ケース蓋体２８に突設された蓋体側突部５４が、互いに対向方向で略対称形状とされていたが、本体側突部および蓋体側突部によって形成される保持部５０の具体的形状や構造は、特に限定されるものでなく、リード線２４を挿通保持せしめ得る挿通孔を協働して形成し、且つリード線２４の挿通孔への差し入れを可能とする各種形状が採用され得る。
【００３８】
具体的には、例えば、図１１に示されているように、本体側突部６２に対して深底の凹溝６４を形成して、該凹溝５６の深さ寸法をリード線２４の外径寸法の略２倍かそれ以上とする一方、蓋体側突部６６を略平板形状として、ケース本体２６とケース蓋体２８の重ね合わせに際して、本体側突部６２の凹溝６４を蓋体側突部６６で覆蓋せしめることにより挿通孔５８を形成するようにしても良い。なお、図１１では、その理解を容易とするために、前記実施形態と同様な構造とされた部材および部位に対して、それぞれ、図中に、前記実施形態と同一の符号を付しておく。
【００３９】
【発明の効果】
上述の説明から明らかなように、本発明に従う構造とされた洗濯機用電動モータ内蔵ケースにおいては、ケースの外周面に突設された本体側突部と蓋体側突部で協働形成された挿通孔に対して、リード線を押し入れるだけで保持せしめることが出来ることから、リード線を固定するための構造と作業が大幅に簡略化されて製作が容易となるのである。
【図面の簡単な説明】
【図１】本発明の一実施形態としての洗濯機用のギヤードモータを示す正面図である。
【図２】図１に示されたギヤードモータの背面図である。
【図３】図１に示されたギヤードモータの側面図である。
【図４】図３における左端面図である。
【図５】図１に示されたギヤードモータにおいてケース蓋体を取り外した内部構造説明図である。
【図６】図１に示されたギヤードモータのケース本体を示す内面図である。
【図７】図６に示されたケース本体の外面図である。
【図８】図１に示されたギヤードモータのケース蓋体を示す内面図である。
【図９】図８に示されたケース蓋体の外面図である。
【図１０】図１に示されたギヤードモータにおける保持部の拡大説明図である。
【図１１】図１に示されたギヤードモータにおいて採用され得る保持部の別の具体例を示す、図１０に対応する拡大説明図である。
【符号の説明】
１０　ケース
１２　電動モータ
１４　歯車減速機構
１６　クラッチ機構
１８　プーリ
２０　弁体駆動ワイヤ
２２　給電用端子
２４　リード線
２６　ケース本体
２８　ケース蓋体
２９　周壁部（ケース本体）
３０　取付片
３２　収容凹所
３３　底壁部（ケース本体）
３４　ねじ止め部
３６　係合突起
３８　係合片
４０　端子接合部
４２　端子カバー部
４４　押圧部
４６　周壁部（ケース蓋体）
５０　保持部
５２　本体側突部
５４　蓋体側突部
５６　凹溝
５８　挿通孔
６０　差入間隙
６２　本体側突部
６４　凹溝
６６　蓋体側突部
【図１】
2004141569.tif 000003
【図２】
2004141569.tif 000004
【図３】
2004141569.tif 000005
【図４】
2004141569.tif 000006
【図５】
2004141569.tif 000007
【図６】
2004141569.tif 000008
【図７】
2004141569.tif 000009
【図８】
2004141569.tif 000010
【図９】
2004141569.tif 000011
【図１０】
2004141569.tif 000012
【図１１】
2004141569.tif 000013